(57)【要約】【課題】奥行き寸法の小さな薄型テレビ受像機を提供する。【解決手段】  化粧パネルには、薄型ディスプレイと信号回路部とが収納される。化粧パネルはフレームで支持され、フレームは支持部１１３に結合される。台座部１１５は、支持部が結合された収納部１２３と金属で形成された底板部１２１とを含む。台座部１１５は、薄型ディスプレイおよび信号回路部に電力を供給する電源回路部を収納する。電源回路部は、基板１３１に実装されたトランス１３３および複数の電力素子１３５と、底板部１２１に取り付けられた発熱素子１３７ａ、１３７ｂで構成される。電源回路部を構成する発熱素子１３７ａ、１３７ｂの表面が底板部１２１に熱的に結合されており、底板部１２１はヒートシンクとして機能する。【選択図】図２
2009290637.tif 000002
【特許請求の範囲】
【請求項１】
薄型ディスプレイと信号回路部とを収納する化粧パネルと、
前記化粧パネルを支持するフレームと、
前記フレームを支持する支持部と、
前記支持部が結合された収納部と金属で形成された底板部とを含み、前記薄型ディスプレイおよび前記信号回路部に電力を供給する電源回路部を収納する台座部とを有し、
前記電源回路部を構成する発熱素子の表面が前記底板部に熱的に結合されている薄型テレビ受像機。
【請求項２】
前記台座部が前記底板部と載置面との間に通風用のスペースを形成するための脚部を有する請求項１に記載の薄型テレビ受像機。
【請求項３】
前記底板部の前記発熱素子の近辺と前記収納部に通気口が形成されている請求項１または請求項２に記載の薄型テレビ受像機。
【請求項４】
前記電源回路部がトランスを含む請求項１ないし請求項３のいずれかに記載の薄型テレビ受像機。
【発明の詳細な説明】
【技術分野】
【０００１】
本発明は薄型テレビ受像機の奥行き寸法を小さくする技術に関する。
【背景技術】
【０００２】
図３は、液晶ディスプレイ５を備える薄型テレビ受像機１の断面を示す側面図である。フレーム７には、液晶ディスプレイ５、信号回路部９、および電源回路部１１が取り付けられ、さらにそれらを覆うように化粧パネル３が取り付けられている。フレーム７は支持部１３に結合されており、支持部１３は平坦な台座部１５に結合されている。薄型テレビ受像機１はＣＲＴ式のテレビ受像機に対して十分に奥行き寸法Ｌｘが小さくなっているが、さらに小さくする要求がある。
【０００３】
特許文献１は、スタンドの支柱に回路基板、トランス、半導体などを含む電源回路を配置して薄型表示装置の表示部の軽量化を図る技術を開示する。特許文献２は、ベース部とスタンド部からなる装置本体およびスタンド部で支持される液晶ディスプレイ・ユニットを備え、スタンド部の内部にＣＰＵを搭載した回路基板およびヒートシンクを収容した情報処理装置を開示する。特許文献３は、表示部と回転アームと台座部を含み、台座部に電源回路を配置した卓上型表示装置を開示する。
【特許文献１】特開２００３−１５００６８号公報
【特許文献２】特開２００１−５５５８号公報
【特許文献３】特開平１０−２１４０３４号公報
【発明の開示】
【発明が解決しようとする課題】
【０００４】
液晶ディスプレイ５は、前面からみたときに化粧パネル３の縦横方向のほぼ全域に渡るため、液晶ディスプレイ５と電源回路部１１は必然的に奥行き方向に重なるように配置される。したがって、薄型テレビ受像機１の奥行き寸法Ｌｘは、大部分が液晶ディスプレイ５と電源回路部１１の厚さ（奥行き方向のサイズ）で決まることになる。そして、電源回路部１１は、奥行き寸法Ｌｘの１／３程度を占めるまでに至っているため、電源回路部１１の厚さを小さくすることは薄型テレビ受像機１の一層の薄型化を図る上で有効である。
【０００５】
これまで電源回路部１１の厚さを低減するために、基板上に実装されるトランスを特別注文して薄型化するなどの部品レベルでの対応が主として行われてきた。しかし、部品レベルでの対応ではコスト増をもたらし、また部品の小型化も限界に達してきているため、電源回路部１１の現在以上の薄型化は困難である。そこで本発明の目的は、奥行き寸法の小さな薄型テレビ受像機を提供することにある。さらに本発明の目的は、重心を低くした安定性の高い薄型テレビ受像機を提供することにある。さらに本発明の目的は、ヒートシンクの数を減らした薄型テレビ受像機を提供することにある。
【課題を解決するための手段】
【０００６】
本発明にかかる薄型テレビ受像機は、化粧パネルに薄型ディスプレイと信号回路部とを収納し、電源回路部を台座部に収納することで、化粧パネルの奥行き寸法を小さくすることができる。台座部は、収納部と金属で形成された底板部で構成されており、電源回路部の発熱素子の表面を底板部に熱的に結合して、底板部をヒートシンクとして利用する。その結果、従来の電源回路部では、特別にヒートシンクを用意して発熱素子から排熱する必要があったが、本発明によれば底板部がヒートシンクを兼用するのでヒートシンクの数を削減できる。
【０００７】
底板部と載置面との間に通風用のスペースを形成するための脚部を台座部に設けることで、底板部の下面を空気が流れて底板部から排熱し、底板部のヒートシンクとしての作用を維持することができる。底板部の発熱素子の近辺と収納部に通気口を形成すれば、空気の対流により底板部の通気口から取り込んだ外気を収納部の通気口から排出することで台座部の内部に蓄積した熱を外部に排出することができる。また、電源回路部が、重量の大きなトランスを含むような場合は、電源回路部を台座部内に設けることで薄型テレビ受像機全体の重心を低くして安定性を良好にすることができる。
【発明の効果】
【０００８】
本発明により、奥行き寸法の小さな薄型テレビ受像機を提供することができた。さらに本発明により、重心を低くした安定性の高い薄型テレビ受像機を提供することができた。さらに本発明により、ヒートシンクの数を減らした薄型テレビ受像機を提供することができた。
【発明を実施するための最良の形態】
【０００９】
図１は、本実施の形態にかかる薄型テレビ受像機１００の断面を示す側面図である。液晶ディスプレイ１０５は、液晶パネル、バックライト、および駆動回路などで構成され、外部から受け取った映像信号を画像として表示する。本発明においては、液晶ディスプレイ１０５に代えて、プラズマ・ディスプレイ・パネルのような他の薄型ディスプレイを使用することもできる。
【００１０】
信号回路部１０９は、電波またはビデオ・レコーダから受信した映像信号から画像データを生成して、液晶ディスプレイ１０５に供給する。液晶ディスプレイ１０５と信号回路部１０９は、金属フレーム１０７に取り付けられている。化粧パネル１０３は、液晶ディスプレイの表示面だけが露出するように液晶ディスプレイ１０５、金属フレーム１０７、および信号回路部１０９を覆い、金属フレーム１０７に取り付けられている。金属フレーム１０７は、支持部１１３に結合されている。支持部１１３は、台座部１１５に結合されている。薄型テレビ受像機１００は、化粧パネル１０３の内部から電源回路部１１７を取り除いて台座部１１５の中に収納することで、奥行き寸法Ｌを小さくしている。
【００１１】
図２は、台座部１１５の中に電源回路部１１７を収納した様子を示す側面図である。台座部１１５は、収納部１２３と底板部１２１で構成されている。底板部１２１を収納部１２３に取り付けると内部にほぼ閉じられた空間を形成することができる。収納部１２３は薄型テレビ受像機１００のほぼ全体の重量を支える強度を保持するように形成される。収納部１２３は金属の鋳造で容器状に一体成形することができる。底板部１２１は、電源回路部１１７を支持する強度を保持するように形成される。底板部１２１は、金属の薄板をプレス加工して形成することができる。底板部１２１と容器部１２３には、台座部１１５の内部と外部を貫通する通気口１２９ａ、１２９ｂ、１２９ｃが形成されている。
【００１２】
電源回路部１１７は、基板１３１に実装されたトランス１３３および複数の電力素子１３５と、底板部１２１に取り付けられた発熱素子１３７ａ、１３７ｂで構成される。基板１３１は、底板部１２１に取り付けられる。複数の電力素子１３５は、インダクタ、キャパシタ、抵抗などの電気部品である。複数の電力素子１３５は、基板１３１に形成された配線パターンまたはケーブルで相互に接続される。発熱素子１３７ａ、１３７ｂは、直流電圧に対してチョッパ制御をする半導体チップやスイッチング素子などのように発熱量が大きいためヒートシンクのような排熱対策の必要な電気部品である。電源回路部１１７は、商用電源から交流電圧を受け取り所定の直流電圧に変換して信号回路部１０９および液晶ディスプレイ１０５に供給する直流安定化電源である。
【００１３】
電源回路部１１７には、商用電源のアウトレットに接続されるコード（図示せず。）が接続される。電源回路部１１７と信号回路部１０９および液晶ディスプレイ１０５とは、それぞれ支持部１１３の内部を通したケーブル（図示せず。）で接続される。発熱素子１３７ａ、１３７ｂは、表面が熱伝導性接着剤で底板部１２１に接着され、信号ピンおよび電力ピンは基板１３１の配線パターンに接続される。薄型テレビ受像機１００では、化粧パネル１０３から電源回路部１１７を台座部１１５に移動することで、化粧パネル１０３の奥行き寸法Ｌを従来よりも小さくすることができる。台座部１１５は従来の台座部１５に比べて、電源回路部１１７を収納するために高さが高くなっているが、従来の台座部１５と化粧パネル３との間には、支持部１３によりある程度の空間が確保されているので、台座部１１５をこの空間を利用して形成すれば、薄型テレビ受像器１００の全体の高さには影響を与えることがない。
【００１４】
また台座部１１５は、底板部１２１をヒートシンクとして利用できる構造になっており、従来の電源回路部１１には必要であった専用のヒートシンクを設ける必要がない。また、収納部１２３の高さ方向の寸法に対する制約は少ないので、トランス１３３は背の高い汎用品を使用することができる。底板部１２１と載置面１２７との間は空気の流れが確保されているので、底板部１２１は発熱素子１３７ａ、１３７ｂから吸収した熱を効果的に外部に放熱することができる。電源回路部１１７が動作して台座部１１５の内部温度が上昇したときには、通気口１２９ａ、１２９ｂから内部に入り込んだ空気が対流で通気口１２９ｃから外部に排気される際に排熱する。
【００１５】
通気口１２９ａ、１２９ｂは、発熱素子１３７ａ、１３７ｂの近くに形成されているため、台座部１１５の内部に生じた空気の流れにより排熱されやすくなっている。薄型テレビ受像機１００を熱帯地域で使用するような場合は、台座部１１５の内部温度が許容値を超えることも予想される。そのような場合は、通気口１２９ｃから内部の空気を強制的に排気するファン・ユニットを台座部１１５の内側に設けることもできる。その場合は、同時に温度センサも設けて、台座部１１５の内部温度が所定値を超えたときだけファン・ユニットを動作させるようにしてもよい。
【００１６】
電源回路部１１７のトランス１３３は比較的重量が大きい。本実施の形態にかかる薄型テレビ受像機１００は、電源回路部１１７の全体を台座部１１５の内部に設けたため、従来の薄型テレビ受像機１に比べて安定性が良好である。これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【図面の簡単な説明】
【００１７】
【図１】薄型テレビ受像機の断面を示す側面図である。
【図２】台座部に収納された電源回路部の断面を示す側面図である。
【図３】従来の薄型テレビ受像機の断面を示す側面図である。
【符号の説明】
【００１８】
１００…薄型テレビ受像機
１０３…化粧パネル
１０５…液晶ディスプレイ
１０７…金属フレーム
１０９…信号回路部
１１３…支持部
１１５…台座部
１１７…電源回路部
１２１…底板部
１２３…収納部
１２５ａ、１２５ｂ…脚部
１２７…載置面
１２９ａ、１２９ｂ、１２９ｃ…通気口
１３１…基板
１３３…トランス
１３５…電力素子
１３７ａ、１３７ｂ…発熱素子
【図１】
2009290637.tif 000003
【図２】
2009290637.tif 000004
【図３】
2009290637.tif 000005